(57)【要約】  本発明の一態様に係る保護帽用センサ（１０）は、ヘルメット（２０）の装着者（３０）に関する情報を取得する検知部（１４）を備えた本体（１１）と、本体（１１）をヘルメット（２０）に取り付ける弾性体（１２）と、を備えており、ヘルメット（２０）が装着された状態において、弾性体（１２）の弾性力によって検知部（１４）を装着者（３０）に接触させているため、保護帽がずれるような動きを伴う作業においても、保護帽の装着者の所定位置における安定な接触状態を維持し、装着者に関する情報を精度よく安定に測定できる。
2018212141.tif 000002
【特許請求の範囲】
【請求項１】
保護帽の装着者に関する情報を取得する検知部を有する本体と、前記本体を前記保護帽に取り付ける弾性体と、を備えており、  前記保護帽が装着された状態において、前記弾性体の弾性力によって前記検知部を前記装着者に接触させていることを特徴とする保護帽用センサ。
【請求項２】
前記保護帽が、帽体と、当該帽体の内側面に取り付けられた内装体とを有しており、  前記検知部の一部または全部が、前記帽体と前記内装体との間の空間に位置している、請求項１に記載の保護帽用センサ。
【請求項３】
前記内装体が前記帽体の内側面に密着せず、前記帽体に対して余裕をもって取り付けられており、  前記弾性体が、前記内装体に接続される接続部を有する請求項２に記載の保護帽用センサ。
【請求項４】
前記弾性体が、前記接続部を複数有する、請求項３に記載の保護帽用センサ。
【請求項５】
前記検知部は、前記装着者に対向する接触面の向きが変化可能である、請求項１〜４のいずれか一項に記載の保護帽用センサ。
【請求項６】
前記検知部が、前記本体の軸受部に嵌合する回転軸を中心として回転可能に支持されている、請求項５に記載の保護帽用センサ。
【請求項７】
前記検知部が、外部装置と接続する配線を備えており、  前記配線が、前記検知部の接触面における装着時の上下方向における幅の中心以外の部分に設けられている、請求項６に記載の保護帽用センサ。
【請求項８】
前記弾性体が、長手方向に伸縮可能な紐状体であり、  前記本体が、    当該本体の所定位置に、前記紐状体を摺動可能な状態で係止するガイド部を備えており、    前記ガイド部に前記紐状体を係止した状態で、前記紐状体の長手方向における前記本体の位置を変更可能である、前記請求項１〜７のいずれか一項に記載の保護帽用センサ。
【請求項９】
保護帽用センサの装着状態を前記装着者に通知する通知部を備えている、請求項１〜８のいずれか一項に記載の保護帽用センサ。
【請求項１０】
前記検知部は、前記装着者に対向する接触面が凹曲面である、請求項１〜９のいずれか一項に記載の保護帽用センサ。
【請求項１１】
前記検知部から垂れ落ちる前記装着者の汗を所定位置に誘導する汗誘導部材を備えている請求項１〜１０のいずれか一項に記載の保護帽用センサ。
【請求項１２】
保護帽の装着者に関する情報を取得する検知部を取り付け可能な本体と、前記本体を前記保護帽に取り付ける弾性体と、を備えており、  前記保護帽が装着された状態において、前記本体に取り付けられた検知部を前記弾性体の弾性によって前記装着者に接触させることを特徴とする保護帽用センサ取付具。
【発明の詳細な説明】
【技術分野】
【０００１】  本発明は、ヘルメット等の装着者に関する情報を測定する保護帽用センサおよび保護帽用センサ取付具に関する。
【背景技術】
【０００２】  作業者の状態に関する情報を測定して体調不良等を検知することは、作業者の健康管理および作業における安全性向上のために有用である。例えば、体調不良による集中力の低下や暑熱環境下における熱中症などの兆候を検知することができれば、労働災害の抑制や防止に役立つ。そこで、作業者に関する情報を検知するために、作業時に装着するヘルメット等の保護帽にセンサを取り付ける構成が提案されている。【０００３】  特許文献１には、被検体の頭皮直下の頭部動脈で血圧値を測定することを目的とする、頭部血圧計の発明が記載されている。この頭部血圧計は、被検体の頭皮直下の頭部動脈を圧迫するカフと、頭部動脈のある頭部表面にカフを固定する固定具と、カフで圧迫している頭部動脈で脳波を検出する脳波検出器と、を備えており、帽子やヘルメットが固定具として用いられる。【０００４】  特許文献２には、酸素濃度計センサを使用者の前頭部に配置し、保持位置決めをすることを容易にすることを目的とする、酸素濃度計センサの発明が記載されている。この酸素濃度計センサは、患者の前頭の少なくとも一部の形状に類似した形状を有し、患者の前頭の一部の上に実質的に一致するように構成されたセクションを備える基部に検出器が配置された構成である。
【先行技術文献】
【特許文献】
【０００５】
【特許文献１】特開２００６−２８７０７６９号公報
【特許文献２】国際公開ＷＯ２００５／００２４３４のパンフレット
【発明の開示】
【発明が解決しようとする課題】
【０００６】  しかし、特許文献１の頭部血圧計は、被験体の運動や作業動作により、ヘルメットがずれて装着位置（装着状態）が変化すると、カフの位置が血圧の測定領域（頭部動脈）から外れる。また、特許文献２の酸素濃度計センサは、帽子の内側に付着させることによってセンサを患者の前頭に固定するものであるから、帽子の装着位置が変化すると、センサの位置が患者の測定領域（頭部動脈）から外れる。  すなわち、上記の頭部血圧計および酸素濃度計センサは、取り付けによってヘルメットや帽子との位置関係を固定されるから、装着位置の変化に伴って測定に適した位置からずれやすいという問題があった。このため、例えば、ヘルメットや帽子にずれが生じるような動きを伴う作業において、被験者（装着者、被検体、患者）と接触状態を所定位置で安定的に維持し、被検者に関する情報を精度よく測定することが困難であった。【０００７】  これに対して、取り付け具を用いて、位置ずれを起こさないように被験体の身体に強くセンサを固定する構成も考えられる。しかし、大掛かりな機構が必要となって装置の小型化が困難となったり、部材の追加によって部品コストが増大したりするという問題がある。さらに、このような部材を設けたことが負荷となり、センサを備えたヘルメットや帽子を装着して行う作業の快適性が低下するおそれがある。【０００８】  そこで本発明は、動きを伴う作業においても、保護帽の装着者の所定位置における安定的な接触状態を維持し、装着者に関する情報を精度よく安定的に測定できる、保護帽用センサおよび保護帽用センサ取付具を提供することを目的とする。
【課題を解決するための手段】
【０００９】  上記課題を解決するために、本発明の保護帽用センサは、保護帽の装着者に関する情報を取得する検知部を有する本体と、前記本体を前記保護帽に取り付ける弾性体と、を備えており、前記弾性体の弾性力によって前記検知部を前記装着者に接触させることを特徴としている。  これにより、保護帽に保護帽用センサを取り付けて作業する際に、保護帽の装着位置が変化した場合に、頭部と保護帽のずれなどの装着位置の変化を弾性体の伸縮によって吸収し、装着位置の変化が保護帽用センサの測定に影響することを抑制できる。また、検知部は、保護帽によって直接押さえられるのではなく、弾性体の弾性力によって装着者に接触させられているから、装着位置が変化した場合にも、装着者の所定位置における安定的な接触状態を維持することができる。【００１０】  前記保護帽が、帽体と、当該帽体の内側面に取り付けられた内装体と、を有しており、前記検知部の一部または全部が、前記帽体と前記内装体との間の空間に位置していることが好ましい。  この場合、前記内装体が前記帽体の内側面に密着せず、前記帽体に対して余裕をもって取り付けられており、前記弾性体が、前記内装体に接続される接続部を有することが好ましい。また、前記弾性体が、前記接続部を複数有することが好ましい。【００１１】  保護帽の帽体と内装体との間に検知部を位置させること、すなわち、帽体と内装体との間の空間に検知部を収納することにより、帽体および内装体によって検知部を保護できるから、作業時において検知部に過大な力が加わることを抑制し、装着者との接触状態を安定に維持することができる。  保護帽に対して余裕をもって取り付けられている内装体に弾性体を接続することにより、作業時における帽体の位置が保護帽用センサに及ぼす影響を抑制することができる。  接続部を複数とすることにより、保護帽用センサの取り付け状態が安定化するとともに、弾性体から検知部へ加えられる弾性力が均一になり、検知部の装着者への接触状態が良好になる。【００１２】  前記検知部は、前記装着者に対向する接触面の向きが変化可能であることが好ましい。  例えば、前記検知部が、前記本体の軸受部に嵌合する回転軸を中心として回転可能に支持されている構成により、接触面の向きを変化可能にすることができる。  これにより、検知部の接触面の向きを装着者の頭部の形状に対応させるとともに、装着者の頭部の動きに対する接触面の追従性が向上するから、接触安定性が向上し、検知精度が良好になる。【００１３】  前記検知部が回転軸を有している場合、前記検知部が、外部装置と接続する配線を備えており、前記配線が、前記検知部の接触面における装着時の上下方向における幅の中心以外の部分に設けられている構成が好ましい。  これにより、回転軸を上下方向における幅の中心の配線が、検知部の円滑な回転に対する障害となることを防止できる。【００１４】  前記弾性体が、長手方向に伸縮可能な紐状体であり、前記本体が、当該本体の所定位置に、前記紐状体を摺動可能な状態で係止するガイド部を備えており、前記ガイド部に前記紐状体を係止した状態で、前記紐状体の長手方向における前記本体の位置を変更可能であることが好ましい。  これにより、本体が弾性体��長手方向に沿って移動可能となるから、検知部の位置を調整し、接触状態の安定性および測定精度を向上させることができる。【００１５】  前記保護帽用センサが、保護帽用センサの装着状態を前記装着者に通知する通知部を備えていることが好ましい。  これにより、装着者が所定の装着状態であることを確認できるから、情報の測定精度が良好になる。【００１６】  前記検知部は、前記装着者に対向する接触面が凹曲面であることが好ましい。  これにより、接触面が装着者の皮膚表面形状に沿ったものとなり、装着感および測定時における検知部と装着者との接触状態が安定になる。【００１７】  本発明の保護帽用センサは、前記検知部から垂れ落ちる前記装着者の汗を所定位置に誘導する汗誘導部材を備えていることが好ましい。  これにより、検知部から垂れる汗が装着者の目に入ることを抑制できる。【００１８】  本発明の保護帽用センサ取付具は、保護帽の装着者に関する情報を取得する検知部を取り付け可能な本体と、前記本体を前記保護帽に取り付ける弾性体と、を備えており、前記保護帽が装着された状態において、前記本体に取り付けられた検知部を前記弾性体の弾性によって前記装着者に接触させることを特徴とする。  これにより、保護帽用センサの取付状態を安定にして測定精度を良好にすることができる。
【発明の効果】
【００１９】  本発明によると、ヘルメットや帽子の位置がずれるような動きを伴う作業において、装着者と検知部との接触状態を安定に維持し、装着者の動きや、脈波、脈動の変化等の生体情報を精度よく測定することができる保護帽用センサおよび保護帽用センサ取付具を提供することができる。
【図面の簡単な説明】
【００２０】
【図１】本発明の実施形態に係る保護帽用センサがヘルメットに取り付けられた状態の概略を説明するため、ヘルメットを半分に切断して示す側面図である。
【図２】本発明の実施形態に係る保護帽用センサの概略構成を示す、ヘルメットに取り付けられた状態において、装着者の上から下方向に見た平面図である。
【図３】（ａ）（ｂ）は本発明の実施形態に係る保護帽用センサの概略構成を示す図であって、（ａ）は保護帽に取り付けられた状態における装着者側から正面方向に見た背面図であり、（ｂ）は同状態における装着者の正面側から装着者方向に見た正面図である。
【図４】図３（ａ）のＡ−Ａ’線に沿って矢印方向に見た断面図である。
【図５】本発明の実施形態の変形例に係る保護帽用センサの概略構成を示す、ヘルメットに取り付けられた状態における、装着者の上から下方向に見た平面図である。
【図６】本発明の実施形態の変形例に係る保護帽用センサの本体部の概略構成を示す正面図である。
【図７】本発明の実施形態の変形例に係る保護帽用センサの本体部の概略構成を示す正面図である。
【図８】（ａ）（ｂ）本発明の実施形態の保護帽用センサの付属品のヘルメットにおける配置例を示す図であって、（ａ）正面図であり、（ｂ）側面図である。
【図９】（ａ）（ｂ）本発明の実施形態の保護帽用センサの付属品のヘルメットにおける他の配置例を示す図であって、（ａ）正面図であり、（ｂ）側面図である。
【発明を実施するための最良の形態】
【００２１】  以下、本発明の実施形態に係る保護帽用センサについて図面を参照しつつ詳しく説明する。基準座標として各図に示しているＸ−Ｙ−Ｚ座標は、保護帽用センサが取り付けられた保護帽が装着された状態における位置関係を示している。本明細書の説明では、Ｘ１方向を前方向、Ｘ２方向を後ろ方向、Ｚ１方向を上方向、Ｚ２方向を下方向、ということがある。説明済の部材と同じ機能を備えた部材には、同じ番号を付して、適宜説明を省略する。【００２２】（保護帽用センサの構成）  図１は、本実施形態に係る保護帽用センサ１０がヘルメット（保護帽）２０に取り付けられた状態の概略を説明するため、ヘルメット２０を半分に切断して示す側面図である。図２は、保護帽用センサ１０の概略構成を示す、装着者３０の頭頂部側から下方向（図１参照）に見た平面図である。図３（ａ）（ｂ）は、保護帽用センサ１０の概略構成を示す図であって、（ａ）は保護帽に取り付けられた状態における装着者３０側（Ｘ２）から正面（Ｘ１）方向に見た背面図であり、（ｂ）は同状態において正面側（Ｘ１）から装着者３０側（Ｘ２）方向に見た正面図である（図１参照）。【００２３】  保護帽用センサ１０は、ヘルメット２０に取り付けて用いられるセンサであって、ヘルメット２０を装着した装着者３０の頭部に接触させた状態で、生体に関する種々の情報を測定する装置であり、本体１１および弾性体１２を備えている。保護帽用センサ１０が測定する情報としては、例えば、装着者３０の動きや、装着者３０に関する生体情報などが挙げられる。【００２４】  保護帽用センサ１０の構成について、以下に説明する。  本体１１は、装着者３０に関する情報を取得する検知部１４を有しており、検知部１４の両側（Ｙ１側およびＹ２側）に、アーム部１１Ａおよびアーム部１１Ｂを備えている。【００２５】  弾性体１２は、長手方向に伸縮可能な紐状体であり、ヘルメット２０に本体１１を取り付ける。  本体１１は、図２、図３（ａ）および図３（ｂ）に示すように、アーム部１１Ａの端部近傍およびアーム部１１Ｂの端部近傍に、それぞれ、弾性体１２を摺動可能な状態で係止する孔（ガイド部）１５を備えている。紐状の弾性体１２は、本体１１における検知部１４が取り付けられている側（Ｘ１側）に弾性体１２が位置するように、二つの孔１５を通過して、本体１１の長手方向（Ｙ軸方向）の全体にわたって、本体１１と接触している。この構成により、本体１１と弾性体１２との間の摩擦力により、本体１１の長手方向における所定位置に弾性体１２を保持することができる。【００２６】  また、弾性体１２の長手方向における本体１１の位置は、孔１５を通過した状態の弾性体１２を摺動させることにより、変更可能になっている。このように、本体１１は弾性体１２の長手方向に沿って移動可能に構成されているから、装着者３０は、保護帽用センサ１０をヘルメット２０に取り付ける前のみならず、取り付け後、およびヘルメット２０を装着した装着状態においても、容易に本体１１の位置を調整することができる。【００２７】  なお、弾性体１２は一本の紐状体を用いて構成しているが、二本以上の紐状体を用いて構成してもよい。例えば、二本の紐状体を用いる場合、アーム部１１Ａおよびアーム部１１Ｂの孔１５にそれぞれ、紐状体を一本ずつ係止する構成としてもよい。【００２８】  上述したように、保護帽用センサ１０は、弾性体１２によってヘルメット２０に取り付けられている。弾性体１２は、作業時において装着者３０の頭部におけるヘルメット２０の位置がずれた（変化した）場合に、当該位置ずれの影響を伸縮によって吸収して、本体１１への影響を緩衝する緩衝機能を備えている。【００２９】  また、弾性体１２は、ヘルメット２０が装着された状態において、その弾性力によって本体１１を装着者３０の前頭部に接触させる力を加えている。検知部１４は、弾性体１２の弾性力によって、本体１１を介して装着者３０側（Ｘ２方向）に押しつけられている。このように、弾性体１２は、検知部１４と装着者３０の頭部とを安定的に接触させる接触機能をも有している。【００３０】  保護帽用センサ１０は、弾性体１２の緩衝機能および接触機能によって、ヘルメット２０の位置がずれた場合にも、装着者３０の頭部と検知部１４と接触状態を安定に維持して、装着者３０に関する情報を精度良く測定することできる。【００３１】  また、保護帽用センサ１０の本体１１は、検知部１４のみではなく、その両側のアーム部１１Ａおよびアーム部１１Ｂにおいて、装着者３０の頭部と接触している。この構成により、弾性体１２の弾性力によって装着者３０の頭部に加えられる力を分散し、装着時の快適性を向上させることができる。【００３２】  弾性体１２としては、全体が弾性を備えた素材からなる紐状体が好ましいが、紐状体は長手方向に伸縮可能なものであればよい。例えば、その全体ではなく、一部が弾性を備えた素材で構成された紐状体を用いてもよい。【００３３】  検知部１４は、装着者３０に接触した状態で装着者３０に関する情報を検知するものである。検知部１４が検知する情報としては、装着者３０の動きや、装着者３０の生体情報が挙げられる。【００３４】  装着者３０の動きを検知する場合、検知部１４として、例えば加速度センサを用いることができる。  装着者３０の生体情報を検知する場合、検知部１４として、例えば、皮膚に接触させた電極から取得した電気信号を用いて生体情報を取得するセンサや、被検体に向けて測定光を放出（出射）する発光部と、被検体を経由したもどり光を受光する受光部とを備え、例えば近赤外領域の波長を有する光を用いて脈波、脈動の変化等の血液に関する生体情報を検知するセンサ等が用いられる。【００３５】  ヘルメット２０は、図１に示すように、帽体２１と内装体２２とを備えている。帽体２１は、装着者３０の頭部を衝撃から保護するための硬い外殻であり、その内部に衝撃を減少させる緩衝材（ライナー）を備えていてもよい。内装体２２は、ヘルメット２０を装着者３０の頭部に固定するものである。ヘルメット２０が装着された状態においては、内装体２２が装着者３０の頭部に接している。ただし、内装体２２は、ヘルメット２０が装着された状態において、帽体２１の内側面２１Ａに密着せず、所定範囲で帽体２１に対する相対位置が変化可能な状態で、帽体２１に取り付けられている。すなわち、内装体２２は、移動可能な遊びが生じるように、帽体２１に対して余裕をもって、複数個所において帽体２１に取り付けられている。【００３６】  保護帽用センサ１０は、弾性体１２の両端近傍に設けられた二つの接続部１３が、内装体２２の二つの接続部２３にそれぞれ取り付けられている。帽体２１ではなく内装体２２に弾性体１２を接続することで、内装体２２の遊びにより帽体２１の動きを緩和することができる。したがって、作業時における装着者３０の動きや外部の障害物との接触などによる帽体２１の位置変化が検知部１４に及ぼす影響を抑えて、検知部１４の位置および装着者３０との接触状態を安定に維持することができる。  また、弾性体１２が接続部１３を複数有することにより、本体１１の検知部１４と装着者３０との接触状態を安定化することができる。【００３７】  接続部２３と接続部１３とは、２つの部材を着脱可能に係止できる構成であればよいが、たとえば、内装体２２に形成された複数の孔と、弾性体１２のコードストッパーとで構成することができる。この構成によれば、弾性体１２のコードストッパー（接続部１３）を係止する孔（接続部２３）を変えることにより、内装体２２への保護帽用センサ１０の取り付け状態を調整可能である。【００３８】  内装体２２は帽体２１の内側面２１Ａに所定間隔を隔てて取り付けられている。このため、内装体２２と帽体２１との間には空間Ｓが形成されている。図１に示すように、装着者３０がヘルメット２０を装着した状態において、検知部１４の一部または全部が、帽体２１の内側面２１Ａと内装体２２との間の空間Ｓに位置している。このように、内装体２２と帽体２１との間の空間Ｓが検知部１４を収容する収容部としての機能を有している。空間Ｓ内に保護帽用センサ１０を収容することにより、帽体２１で保護帽用センサ１０を保護して、作業中に保護帽用センサ１０が破損することを防止できる。【００３９】  上述したように、ヘルメット２０の空間Ｓを収容部として利用するためには、保護帽用センサ１０の本体１１のＸ１−Ｘ２方向の厚さは、内装体２２と帽体２１との間隔よりも小さいことが好ましい。本体１１のＸ１−Ｘ２方向の厚さは、ヘルメット２０の空間Ｓの形状および大きさによるが、１０ｍｍ以下が好ましい。【００４０】  図２および図３（ａ）に示すように、検知部１４は、長手方向の両側の端面１４１にそれぞれ、回転軸１４２を有している。また、本体１１のコ字状の凹部１１０の対向する二つの面１１１にはそれぞれ、回転軸１４２に対応する位置に軸受部１１２が設けられている。そして、２つの回転軸１４２のそれぞれが、２つの軸受部１１２に回転可能に挿入された状態で嵌合している。このように、回転軸１４２が、すべり動くことが可能な状態で軸受部１１２に嵌った構成によって、コ字状の凹部１１０内に検知部１４が取り付けられて、本体１１に支持（軸支）されている。【００４１】  図４は、図３（ａ）のＡ−Ａ’線に沿って矢印方向に見た断面図である。回転軸１４２は、Ｙ２方向からＹ１方向に見た場合に、検知部１４の端面１４１の中心となる位置に設けられている。また、検知部１４は、本体１１の軸受部１１２に嵌合する回転軸１４２を中心として回転可能に支持されている。これらの構成により、装着者３０に対向する接触面１４Ａの方向Ｖを変化させる���とが可能となる。【００４２】  検知部１４は回転軸１４２を中心として回転して、図４に破線で示すように接触面１４Ａの方向Ｖを変えることができる。このように、装着者３０の頭部の形状に応じて、接触面１４Ａの方向Ｖが変化可能な構成により、装着感が良好になる。また、作業時における装着者３０の動きに対する検知部１４の追従性が向上するから、検知部１４と頭部との接触状態を良好に維持することができる。【００４３】  接触面１４Ａの方向Ｖとは、検知部１４の接触面１４Ａの中心Ｏ（図３（ａ）参照）における法線の方向をいう。接触面１４Ａが点対称な形状でない場合、Ｚ軸方向の幅の中心線と、Ｙ軸方向の長さの中心線Ｃとの交点を中心Ｏとする。【００４４】  図２に示すように、検知部１４の装着者３０に対向する接触面１４Ａは、上（Ｚ１）から下（Ｚ２）方向に見た場合に凹曲面である。装着者３０の頭部を上（Ｚ１）から下（Ｚ２）方向に見ると円形であり、表面形状が凸曲面となる。したがって、接触面１４Ａを凹曲面とすることにより、検知部１４と装着者３０との接触が良好になり、検知精度の良好な保護帽用センサ１０となる。【００４５】  図２、図３（ａ）および図３（ｂ）に示すように、保護帽用センサ１０は、配線１６を備えている。配線１６は、検知部１４と、図示しない外部装置とを接続するものであり、検知部１４に電力を供給したり、検知部１４から検知結果を出力したりする。外部装置としては、例えば、バッテリー、通信装置、記憶装置、演算装置などが挙げられる。【００４６】  配線１６は、検知部１４の接触面１４ＡのＺ軸方向（上下方向）の幅をＷとすると、その幅の中心線Ｗ／２以外の部分に設けられている。この構成により、配線１６が本体１１と干渉することを防止して、検知部１４が回転する動き（回動）が円滑になる。検知部１４の回動を円滑にする観点から、中心線Ｗ／２を中心とする２Ｗ／１０の幅（両側に各１Ｗ／１０の幅）の範囲に内に配線１６を設けないことが好ましい。【００４７】  また、配線１６は、保護帽用センサ１０が装着された状態において、本体１１よりも上側（Ｚ１方向）となる位置に設けられていることが好ましい。この構成により、保護帽用センサ１０を装着した状態における本体１１と配線１６との干渉を防止すると共に、配線１６が装着者３０の視界を遮ることを防止できる。なお、検知部１４として、外部装置と電気的に接続し、給電したり検知結果を出力したりすることが可能なものを用いる場合には、配線１６を設けない構成としてもよい。【００４８】（変形例）  図５は、保護帽用センサ６０の概略構成を示す、ヘルメット２０（図１参照）に取り付けられた状態における装着者３０の上（Ｚ１）側から下（Ｚ２）方向に見た平面図である。同図に示す保護帽用センサ６０は、軸受部１１２が、検知部１４がＸ軸に沿って移動可能に回転軸１４２を支持しており、回転軸１４２がＸ１方向へ移動することにより圧縮されて、回転軸１４２に対してＸ２方向に力を加える圧縮ばね１１３を有している。この構成により、検知部１４における接触面１４Ａの装着者３０に対する接触がより安定になる。【００４９】  保護帽用センサ６０は、本体１１の凹部１１０における二つの面１１１に挟まれた面１１４に通知部６３を備えている。通知部６３は、回転軸１４２がＸ１方向へ移動して測定に適した状態になったことを装着者３０に通知する。この通知により、測定に適さない装着状態のままで測定されることを防止できる。【００５０】  通知部６３が装着者３０に適正状態を通知する手段としては、例えば、適正状態を検知した場合に音を発生させる構成や、光を点灯させる構成が挙げられる。通知部６３によって適正状態が検知されたことにより、検知部１４を初期化してもよい。【００５１】  続いて、検知部１４から垂れ落ちる（滴る）汗を誘導する汗誘導部材を備えた保護帽用センサについて説明する。  図６は、変形例に係る保護帽用センサ７０の概略構成を示す正面図である。同図に示すように、保護帽用センサ７０は、正面視した場合に略逆三角形状の汗誘導部材７１を、検知部１４の下方（Ｚ２側）に備えている。汗誘導部材７１の下方の頂点７１Ｂが装着者３０の眉間に位置しているから、検知部１４から垂れ落ちる汗は、汗誘導部材７１を伝わって装着者３０の眉間に誘導される。このように、検知部１４の下方に検知部１４と接触した汗誘導部材７１により、汗が目に入ることを抑制できる。【００５２】  図７は、他の変形例に係る保護帽用センサ８０の概略構成を示す正面図である。同図に示すように、保護帽用センサ８０は、正面視した場合に略三角形状の汗誘導部材８１を検知部１４の下方（Ｚ２側）に備えている。汗誘導部材８１の下方の頂点８１Ｂ１および８１Ｂ２は、正面視した場合に、装着者３０の目じりよりも外側に位置している。したがって、検知部１４から垂れ落ちる汗は、汗誘導部材８１を伝わって装着者３０の目の外側に誘導される。このように、検知部１４の下方に検知部１４と接触する汗誘導部材８１により、汗が目に入ることを抑制できる。【００５３】  保護帽用センサ１０、６０、７０、８０と併せて用いられる付属品１００について、以下説明する。  図８（ａ）（ｂ）は、ヘルメット２０における付属品１００の配置例を示す図であって、（ａ）は正面図であり、（ｂ）は側面図である。同図に示すように、付属品１００を分散してヘルメット２０に搭載すれば、バランスが良好になるから、装着時における安定性が向上する。【００５４】  図９（ａ）（ｂ）は、付属品１００の保護帽における他の配置例を示す図であって、（ａ）は正面図であり、（ｂ）は側面図である。同図に示すように、ヘルメット２０の庇の上側に付属品１００を集中して配置すれば、障害物との接触を庇により保護し、付属品１００である機器の破損を防ぐことができる。【００５５】  なお、保護帽用センサ１０の検知部１４は、本体１１の一部として取り付けられているが、本体１１に検知部１４を取り付け可能な構成としても良い。検知部１４を本体１１に着脱可能な構成とした場合、ヘルメット２０を装着して行う作業や、外部環境等に応じて、検知部１４を付け替えて、種々の情報を取得することができる。検知部１４が着脱可能に構成されている場合、保護帽用センサ１０から検知部１４を除いたものが、ヘルメット２０用の保護帽用センサ取付具になる。【００５６】  本発明について上記実施形態を参照しつつ説明したが、本発明は上記実施形態に限定されるものではなく、改良の目的または本発明の思想の範囲内において改良または変更が可能である。
【産業上の利用可能性】
【００５７】  以上のように、本発明に係る保護帽用センサは、装置の大型化や高コスト化を招くことなく、ヘルメットや帽子がずれるような動きを伴う作業において、装着者の所定位置における安定的な接触状態を維持して測定を精度よく行うことできる点で有用である。
【符号の説明】
【００５８】１０、６０、７０、８０      ：保護帽用センサ１１      ：本体１１Ａ、１１Ｂ    ：アーム部１２      ：弾性体１３      ：接続部１４      ：検知部１４Ａ    ：接触面１５      ：孔（ガイド部）１６      ：配線２０      ：ヘルメット（保護帽）２１      ：帽体２１Ａ    ：内側面２２      ：内装体２３      ：接続部３０      ：装着者６３      ：通知部７１      ：汗誘導部材７１Ｂ    ：頂点８１      ：汗誘導部材８１Ｂ１、８１Ｂ２  ：頂点１００    ：付属品１１０    ：凹部１１１    ：面１１２    ：軸受部１１３    ：圧縮ばね１１４    ：面１４１    ：端面１４２    ：回転軸Ｓ        ：空間Ｏ        ：中心Ｃ        ：中心線Ｖ        ：方向
【図１】
2018212141.tif 000003
【図２】
2018212141.tif 000004
【図３】
2018212141.tif 000005
【図４】
2018212141.tif 000006
【図５】
2018212141.tif 000007
【図６】
2018212141.tif 000008
【図７】
2018212141.tif 000009
【図８】
2018212141.tif 000010
【図９】
2018212141.tif 000011
【国際調査報告】
2018212141.tif 000012
2018212141.tif 000013
2018212141.tif 000014
2018212141.tif 000015